(57)【特許請求の範囲】
【請求項１】
吸気扇本体にファンと、ファン用のモータを設けた吸気扇において、
この吸気扇本体にケーシングを設け、このケーシングの吸込側に、送風で可動する少なくとも二枚の翼板を軸支し、この二枚の翼板で作動する作動突起を前記ケーシングに設け、この作動突起を介して可動する対の可動杆を、前記ケーシングの外周面に枢着し、またこの対の可動杆に可動自在に、それぞれ設けた対のシャッターを介して、前記吸気扇の吹出側を閉塞する構成とするとともに、このシャッター及び／又は前記可動杆の復帰を司るスプリング、伸縮紐、アクチュエータでなる復帰手段を、前記ケーシングと可動杆との間に設ける吸気扇のシャッター構造であって、
前記シャッターの内面に、前記ケーシングの外周面を摺設する先細りのガイド片を設け、このシャッターの枢着側が、前記可動杆の動きを介して、前記ケーシングの外周面に至った状態で、この可動杆が、前記外周面を摺設移動することを利用し、前記シャッターの枢着側がこの外周面に僅かな間隔をおいて移動するとともに、この移動時に、前記ガイド片の内面が、前記外周面に摺設し、このケーシングがスムーズに移動可能とする構成とした吸気扇のシャッター構造。
【請求項２】
請求項１に記載の吸気扇のシャッター構造であって、
前記シャッターの内面は、開放限において、前記ケーシングの外周面に添接し、コンパクトに収容可能とする構成とした吸気扇のシャッター構造。
【請求項３】
請求項１に記載の吸気扇のシャッター構造であって、
前記シャッターの枢着側に、鞘管を形成し、この鞘管を、前記可動杆のコ字形の垂直部に遊嵌する構成とした吸気扇のシャッター構造。
【請求項４】
請求項１に記載の吸気扇のシャッター構造であって、
前記復帰手段は、対の可動杆の一方側に、それぞれ差渡し固止した一方側のスプリング、伸縮紐と、この対の可動杆の他方側に固止した他方側のスプリング、伸縮紐を、この可動杆に遊嵌した、シャッター支持用の鞘管の突片に固止する構成とした吸気扇のシャッター構造。
【請求項５】
請求項１に記載の吸気扇のシャッター構造であって、
前記翼板の一方・他方側で、その開放側の角端部に、前記ケーシングの内周面に衝突しないように、切欠き部を設ける構成とした吸気扇のシャッター構造。
【発明の詳細な説明】
【技術分野】
【０００１】
本発明は、ハウス用（温室等の農事用と、牛、豚等の畜産用、又は工場・家庭用）の吸気扇のシャッター構造に関する。
【背景技術】
【０００２】
従来、この種のハウス用の換気扇のシャッターには、このシャッター機能の充実を目的に、各目的を持った有用な手段が設けられている（シャッター構造とする）。例えば、ハウス用の換気扇のシャッター構造は、ケーシングの吹出側（ハウス室外側）の閉塞を意図して、シャッタープレートを開閉自在（可動自在）に設けた構造を採用すること、また防虫ネット付きの換気扇の構造では、ケーシングの吸込側（ハウス内面）に防虫ネットを張装した構造を採用する。そして、この防虫ネット付の換気扇は、農薬の使用を軽減し、食の安全性と、益虫の有効利用、又は各分野での環境維持が図れる特徴がある。
【０００３】
この従来の構造では、次のような改良点が考えられる。先ず、換気扇の開閉に、可動式のシャッタープレートを設けた構造では、このシャッタープレートが、風の流れを遮ることから、吹出空気の渦流や乱流が発生し、必要とする整流が確保されないこと、又は騒音の発生要因となること、等の問題点と、吹出空気を遠方まで、送風できないこと等の改良点が考えられる。殊に、小型の換気扇では、吹出空気を遠方まで、送風できないことは、能力不足となり、かつ設置台数の増加と、これに基く経済的な不利益を被ること等から、その改良が強く要望される処である。
【０００４】
また従来の構造で、渦巻状の整流手段（整流板）を設けた換気扇は、この整流板での整流であり、吹出空気の渦流や乱流、及び／又は騒音を、確実に解消するには、当該整流板の構造では必ずしも充分とは云えなかった。そして、この改良点の解消が、業界サイドから、強く要望される処である。
【０００５】
上記の改良点を解決する手段として、先行文献を調査したので、その結果を、以下、文献として列挙し、その概要を説明する。
【０００６】
文献１は、特開２００２−１３０１８２の「換気扇の排気構造」であり、この発明は、請求項１に記載の如く、「換気扇下流の排気路内に、この排気路を縦断するように２分割化した左右対称のバタフライ式のシャッター部材を設け、このシャッター部材の回動中心となる各々のシャフト両端の上端部が、下端部によりも室内側に変位して軸支することで、開放時の抵抗が一枚板状のシャッター部材に比べて小さくし、かつこの換気扇の非稼動時の排気路の閉路を確実にする」構造であり、その効果は、要約書に記載された如く、「小出力な換気扇を使用しても換気できる換気扇の排気構造を提供すること、またこの換気扇の排気構造の簡略化を図ること」を意図する。
【０００７】
また文献２は、特開２００４−３０１４９７の「換気装置」であり、この発明は、明細書の［００５６］に記載の如く、「シャッター開閉手段のつまみを操作し、図面の実線位置に移動して、横動具に設けた給気シャッターが移動することで、給気経路を閉鎖するとともに、横動具に設けた係合凹部に係合している排気シャッターの突部が移動し、排気シャッターが支点を介して、時計方向に可動し、排気シャッターにより排気経路を閉鎖する」構造であり、その効果は、「換気装置の運転停止時や暴風時において、雨や雪の室内への侵入回避を図ること」を意図する。
【０００８】
【特許文献１】特開２００２−１３０１８２
【特許文献２】特開２００４−３０１４９７
【発明の開示】
【発明が解決しようとする課題】
【０００９】
文献１は、換気扇下流の排気路内に、この排気路を縦断するように２分割化した左右対称のバタフライ式のシャッター部材を設ける（内装する）特徴を有する。しかし、この構造では、排気路内に、このシャッター部材と、その受部が存在することから、整流を妨げる虞があること、騒音発生の要因となること等の問題を抱えている。そして、この文献１では、整流手段として、特段の構造がないことから、整流効果と、遠方への送風、又は設置台数の減少化等の面で、改良の余地が考えられる。
【００１０】
また文献２は、換気装置の排気経路を閉鎖する構造であり、給気シャッターの横移動を介して、閉鎖する構造であり、この給気シャッターの横移動のスペースと、その装置を有することから、本発明が意図するハウス用の吸気扇のシャッター構造としては、採用できないと考えられる。また整流手段を要さないことから、本発明が意図するハウス用の吸気扇のシャッター構造としての転用には、困難性が考えられる。
【００１１】
そして、前述した防虫ネット付の換気扇は、他に、農薬の使用を無くし、低コスト化が図れる優れた面を有する。この防虫ネット付の換気扇の利点を基に、低コスト化を図りつつ、かつハウス経営の一層の効率化と、省資源化を図るための会合、部会の発足が、政府の肝煎りで実施されている。例えば、本出願人が会員となっている部会（例えば、「ハウス環境制御部会」）がある。この部会において、本発明が意図する換気扇（吸気扇）は、重要な位置を示しており、種々の要望がある。その要望とは、例えば、この吸気扇及び／又は付帯設備の稼動に関して、資源を使用しない構造や、吸気扇の装置及び／又はメンテナンス等に関する低コスト化と、構造の簡略化とを図ること等が議論されている。
【００１２】
前述した、最近の要望及び／又は議論を捉えて、本発明は、これに満足できる構造簡単な吸気扇であって、ファンからの送風停止で、吹出側を、迅速に閉鎖する構造及び／又はファンからの送風を介して、簡易に、動力なしで開閉できるシャッター構造と、さらにこのシャッターの開放限の移動位置の構造を具備した吸気扇を提供することを意図する。
【課題を解決するための手段】
【００１３】
請求項１の発明は、二枚の翼板及び／又は整流手段を介して、整流する構造であり、吹出空気の渦流や乱流、及び／又は騒音を、確実に解消し、業界サイドからの要望に応えること、また遠方への吹出し（送風）を可能とすること等を意図する。また請求項１の発明は、吸気扇の吹出側を確実に閉塞（閉鎖）し、吸気扇の運転停止時や暴風時において、雨や雪の室内への侵入回避を図ることを意図する。そして、請求項１の発明は、吸気扇のシャッターを、ケーシングの外周面に隣接して、収容する構造とし、収容スペースの確保と、このケーシングの吹出空気の整流を確保し、この整流のもたらす効果、例えば、合理化、経済性の向上と、省資源・省エネルギー等を確保すること、地球環境の維持を図ること等を意図する。
【００１４】
請求項１は、吸気扇本体にファンと、ファン用のモータを設けた吸気扇において、
この吸気扇本体にケーシングを設け、このケーシングの吸込側に、送風で可動する少なくとも二枚の翼板を軸支し、この二枚の翼板で作動する作動突起を前記ケーシングに設け、この作動突起を介して可動する対の可動杆を、前記ケーシングの外周面に枢着し、またこの対の可動杆に可動自在に、それぞれ設けた対のシャッターを介して、前記吸気扇の吹出側を閉塞する構成とするとともに、このシャッター及び／又は前記可動杆の復帰を司るスプリング、伸縮紐、アクチュエータ（動力なしが望ましい）でなる復帰手段を、前記ケーシングと可動杆との間に設ける吸気扇のシャッター構造であって、
前記シャッターの内面に、前記ケーシングの外周面を摺設する先細りのガイド片を設け、このシャッターの枢着側が、前記可動杆の動きを介して、前記ケーシングの外周面に至った状態で、この可動杆が、前記外周面を摺設移動することを利用し、前記シャッターの枢着側がこの外周面に僅かな間隔をおいて移動するとともに、この移動時に、前記ガイド片の内面が、前記外周面に摺設し、このケーシングがスムーズに移動可能とする構成とした吸気扇のシャッター構造である。
【００１５】
【００１６】
【００１７】
【００１８】
【００１９】
【００２０】
【００２１】
請求項２の発明は、請求項１の目的を達成すること、この目的を達成するために、この吸気扇に、最適なシャッターの開放限の移動位置の構造を提供することを意図する。
【００２２】
請求項２は、請求項１に記載の吸気扇のシャッター構造であって、
前記シャッターの内面は、開放限において、前記ケーシングの外周面に添接し、コンパクトに収容可能とする構成とした吸気扇のシャッター構造である。
【００２３】
請求項３の発明は、請求項１の目的を達成すること、この目的を達成するために、この吸気扇に、最適なシャッターの回転構造を提供することを意図する。
【００２４】
請求項３は、請求項１に記載の吸気扇のシャッター構造であって、
前記シャッターの枢着側に、鞘管を形成し、この鞘管を、前記可動杆のコ字形の垂直部に遊嵌する構成とした吸気扇のシャッター構造である。
【００２５】
請求項４の発明は、請求項１の目的を達成すること、この目的を達成するために、この吸気扇に、最適なシャッターの復帰手段を提供することを意図する。
【００２６】
請求項４は、請求項１に記載の吸気扇のシャッター構造であって、
前記復帰手段は、対の可動杆の一方側に、それぞれ差渡し固止した一方側のスプリング、伸縮紐と、この対の可動杆の他方側に固止した他方側のスプリング、伸縮紐を、この可動杆に遊嵌した、シャッター支持用の鞘管の突片に固止する構成とした吸気扇のシャッター構造である。
【００２７】
【００２８】
【００２９】
請求項５の発明は、請求項１の目的を達成すること、この目的を達成するために、この吸気扇に、最適なシャッターの形態を提供することを意図する。
【００３０】
請求項５は、請求項１に記載の吸気扇のシャッター構造であって、
前記翼板の一方・他方側で、その開放側の角端部に、前記ケーシングの内周面に衝突しないように、切欠き部を設ける構成とした吸気扇のシャッター構造である。
【００３１】
【００３２】
【００３３】
【００３４】
【発明の効果】
【００３５】
請求項１の発明は、吸気扇本体にファンと、ファン用のモータを設けた吸気扇において、吸気扇本体にケーシングを設け、ケーシングの吸込側に、送風で可動する少なくとも二枚の翼板を軸支し、二枚の翼板で作動する作動突起をケーシングに設け、作動突起を介して可動する対の可動杆を、ケーシングの外周面に枢着し、また対の可動杆に可動自在に、それぞれ設けた対のシャッターを介して、吸気扇の吹出側を閉塞する構成とするとともに、シャッター及び／又は可動杆の復帰を司るスプリング、伸縮紐、アクチュエータでなる復帰手段を、ケーシングと可動杆との間に設ける吸気扇のシャッター構造であって、
シャッターの内面に、ケーシングの外周面を摺設する先細りのガイド片を設け、シャッターの枢着側が、可動杆の動きを介して、ケーシングの外周面に至った状態で、可動杆が、外周面を摺設移動することを利用し、シャッターの枢着側が外周面に僅かな間隔をおいて移動するとともに、移動時に、ガイド片の内面が、外周面に摺設し、ケーシングがスムーズに移動可能とする構成とした吸気扇のシャッター構造である。
【００３６】
従って、請求項１は、二枚の翼板及び／又は整流手段を介して、整流する構造であり、吹出空気の渦流や乱流、及び／又は騒音を、確実に解消し、業界サイドからの要望に応え得ること、また遠方への吹出し（送風）を可能とすること等の特徴を有する。また請求項１は、吸気扇の吹出側を確実に閉塞（閉鎖）し、吸気扇の運転停止時や暴風時において、雨や雪の室内への侵入回避が図れる実益がある。そして、請求項１は、吸気扇のシャッターを、ケーシングの外周面に隣接して、収容する構造とし、収容スペースの確保と、このケーシングの吹出空気の整流を確保し、この整流のもたらす効果、例えば、合理化、経済性の向上と、省資源・省エネルギー等を確保でき、地球環境の維持が図れる特徴がある。
【００３７】
【００３８】
【００３９】
【００４０】
【００４１】
【００４２】
【００４３】
請求項２の発明は、請求項１に記載の吸気扇のシャッター構造であって、シャッターの内面は、開放限において、ケーシングの外周面に添接し、コンパクトに収容可能とする構成とした吸気扇のシャッター構造である。
【００４４】
従って、請求項２は、請求項１の目的を達成できること、この目的を達成するために、この吸気扇に、最適なシャッターの開放限の移動位置の構造を提供できること等の特徴を有する。
【００４５】
請求項３の発明は、請求項１に記載の吸気扇のシャッター構造であって、シャッターの枢着側に、鞘管を形成し、鞘管を、可動杆のコ字形の垂直部に遊嵌する構成とした吸気扇のシャッター構造である。
【００４６】
従って、請求項３は、請求項１の目的を達成できること、この目的を達成するために、この吸気扇に、最適なシャッターの回転構造を提供できること等の特徴を有する。
【００４７】
請求項４の発明は、請求項１に記載の吸気扇のシャッター構造であって、復帰手段は、対の可動杆の一方側に、それぞれ差渡し固止した一方側のスプリング、伸縮紐と、対の可動杆の他方側に固止した他方側のスプリング、伸縮紐を、可動杆に遊嵌した、シャッター支持用の鞘管の突片に固止する構成とした吸気扇のシャッター構造である。
【００４８】
従って、請求項４は、請求項１の目的を達成できること、この目的を達成するために、この吸気扇に、最適なシャッターの復帰手段を提供できること等の特徴を有する。
【００４９】
【００５０】
【００５１】
請求項５の発明は、請求項１に記載の吸気扇のシャッター構造であって、翼板の一方・他方側で、開放側の角端部に、ケーシングの内周面に衝突しないように、切欠き部を設ける構成とした吸気扇のシャッター構造である。
【００５２】
従って、請求項５は、請求項１の目的を達成できること、この目的を達成するために、この吸気扇に、最適なシャッターの形態を提供できること等の特徴を有する。
【００５３】
【００５４】
【００５５】
【００５６】
【発明を実施するための最良の形態】
【００５７】
本発明の一例を説明する。
【００５８】
図面の説明をすると、図１はシャッターが閉塞された状態を正面視した状態の斜視図、図２はシャッターが開放され、このシャッターがケーシングの外周面に添接した状態を正面視した状態の斜視図、図３はケーシングに貫通した作動突起の垂直部と折曲げ部とを示し、かつ二枚の翼体（風動板）との関係を示した要部の拡大斜視図、図４は、図３に示した作動突起が、最大限に可動した（ファンからの風で、全開した）翼体により押圧された状態を示した要部の拡大斜視図、図５は吸気扇本体を分解して示した斜視図、図６は可動杆とケーシングと、可動杆が復帰するための手段（復帰手段）との関係を示した平面図、図７−１は作動突起とシャッターとの連繋、並びに可動杆が復帰するための手段（復帰手段）との関係を示した斜視図、図７−２は図７−１の要部の拡大平面図、図８は吸気扇の裏面斜視図、図９は吸気扇のハウス内側に防虫ネットを取付けた状態の斜視図、図１０−１（イ）〜（ハ）はシャッターの閉塞状態を示した平面、正面、底面の方向から概念的に示した各図、図１０−２（イ）〜（ハ）はシャッターが翼体の動きに連動して可動を始めた状態を示した平面、正面、底面の方向から概念的に示した各図、図１０−３（イ）〜（ハ）はシャッターが翼体の動きに連動し、さらに可動を始めた状態を示した平面、正面、底面の方向から概念的に示した各図、図１０−４（イ）〜（ハ）はシャッターの開放状態を示した平面、正面、底面の方向から概念的に示した各図、図１１は吸気扇の枠体、又は本体にフードを設けた状態を示した斜視図、図１２は図１１の他の例を示した斜視図である。
【００５９】
図において、１はハウス（図示せず）の柱に取付けられる枠体で、この枠体１には、開口２ａとベルマウス２ｂとを備えた板状の吸気扇本体２（本体２とする）が内設されている。この本体２にはブラケット３を介して、モータ４、並びにこのモータ４の出力軸に設けたファン５が設けられている。そして、この本体２は環状の開口２ａを有しており、この開口２ａに、前記モータ４と、ファン５が設けられる。尚、図中６はファン５用のガードで、必要により設けられる。このファン５は、モータ４の回転を介して稼働し、送風する。
【００６０】
そして、この本体２には、その開口２ａと整合する内周面８ａと、外周面８ｂとを備えた環状のケーシング８（環状に限定されない、他の部材も同じ）を設ける。そして、このケーシング８は、所定の幅８００を備えているとともに、望ましくは、吹出側８０１に向かって収れんする収れん部を備えた構造とする。図中８０２はケーシング８の吸込側を示す。そして、このケーシング８を、長い寸法の幅８００と、収れん部を備えた構造とすることで、吸込側８０２より（ファン４を介して）吸込んだ空気を、収れん部を介して、収れんしつつかつ整流し、このケーシング８の吹出側８０１に送り、この吹出側８０１より遠方に向かって吐出する構造である。
【００６１】
このケーシング８の吹出側８０１は、この吹出口８０１ａを閉塞する半截円盤形状でなる対のシャッター１０（原則として、一方のシャッターで説明する）を備えており、このシャッター１０はファン４からの風圧で、順次、図１０−１（イ）の状態から、図１０−４（イ）の状態に順次、変化（可動）することで、吹出口８０１ａが開放されて、最終的には、図１０−４（イ）の状態の如く、各ケーシング８の外周面８ｂに添接される（シャッター１０の枢着側１０ａが吸込側８０２に、シャッター１０の先端側１０ｂが吹出側８０１に位置する）。そして、またファン４の停止で、後述する復帰手段を介して復帰し、前述の逆の状態に順次、変化し、最初の状態に戻り、吹出側８０１の吹出口８０１ａを閉塞する（図１０−１（イ）の状態）。そして、この対のシャッター１０は、確実な閉塞を図るために、鍔片１０００を備えている。また後述するが、この鍔片１０００を設けることで、この鍔片１０００を備えない、シャッター１０の方が、先に復帰する構造を採用する。図中８０２ａは吸込側８０２の吸込口を示す。そして、この吸込口８０２ａは、前記本体２の開口２ａと整合する。
【００６２】
そこで、このシャッター１０を支持し、かつこの動きを保障するコ字形の可動杆１１に関して説明すると、この可動杆１１の垂直部１１ａにシャッター１０の枢着側１０ａに設けた鞘管１００１を嵌着し、またこの垂直部１１ａの他方側（上方側）より延設かつ直角方向に折曲げた他方折曲げ部１１ｂの先端を、前記ケーシング８の外周面８ｂの略頂面の中心に枢着する。さらにこの垂直部１１ａの一方側（下方側）より延設かつ直角方向に折曲げた一方折曲げ部１１ｃの先端を、前記ケーシング８の外周面８ｂの略底面の略中心に貫設する。そして、この例では、この一方折曲げ部１１ｃの自由端を、作動突起１２とする構造である。この作動突起１２は、図３、並びに図１０−１〜図１０−４に示す如く、内周面８ａに立設した垂直部１２ａと、この垂直部１２ａより直角方向に折曲げ、かつ平面視して、前記一方折曲げ部１１ｃの折曲げ方向に対して、略直角となる作動部１２ｂとで構成する。従って、図１０−１に示す如く、シャッター１０が、吹出口８０１ａを閉塞状態で、この他方折曲げ部１１ｂと一方折曲げ部１１ｃは、ケーシング８に略逆ハ字形に位置し（平面視して）、かつ作動突起１２の作動部１２ｂが、ケーシング８の吸込側８０２と、吹出側８０１に向かって位置し、しかもこの作動部１２ｂの自由端１２ｂ−１が、吸込側８０２に向かって、略逆ハ字形に向く構造である。この状態では、可動杆１１の、一方折曲げ部１１ｃと、他方折曲げ部１１ｂは、作動部１２ｂと同じ位置関係である。そして、この翼体１５が、ファン４からの送風で可動（押圧）されると、この翼体１５に押圧力が発生する。この押圧力は、作動突起１２の作動部１２ｂを動かす力となり、この例では、作動部１２ｂが、その垂直部１２ａを支点として可動「従動」する。具体的には、図１０−２〜図１０−４の如く、作動部１２ｂは、翼体１５の可動に従動し、最初の略逆ハ字形が崩れ、最終的には、対の作動部１２ｂが平行となり、その自由端１２ｂ−１が、吸込側８０２に向かい、またその垂直部側１２ｂ−２（支点側）が、吹出側８０１に向いた状態で、略平行に位置する構造である。また、この作動部１２ｂと、垂直部１２ａの可動は、この垂直部１２ａに連繋する前記可動杆１１と、この可動杆１１に枢着したシャッター１０を可動するので、順を追って説明する。
【００６３】
この翼体１５と、作動部１２ｂ並びに可動杆１１と、シャッター１０との可動及び／又はその連動を下記に説明すると、「１」の最初の状態は、図１０−１である。即ち、他方・一方折曲げ部１１ｂ、１１ｃが、ケーシング８の外周面８ｂにおいて、略逆ハ字形に位置し、かつ垂直部１２ａが、ケーシング８の吹出側８０１の近傍に位置する状態で、シャッター１０が、吹出口８０１ａを閉塞した状態である。「２」の次の状態は、図１０−２である。即ち、翼体１５（後述する）が風圧（ファン５による送風Ｘで示す）で、その開放側１５ａが押圧されると、その枢着部１５ｂを支点として、可動する。この可動により、作動突起１２の作動部１２ｂが押圧、かつ可動されるとともに、この作動突起１２は、垂直部１２ａを軸に可動する。この垂直部１２ａの可動は、一方折曲げ部１１ｃを介して、可動杆１１全体に伝達されるので、この可動杆１１は、作動突起１２の垂直部１２ａと、ケーシング８に枢支した当該可動杆１１の枢着部を支点に可動する。従って、一方・他方折曲げ部１１ｃ、１１ｂの前記略逆ハ字形の形状が崩れ始めるとともに、可動杆１１の垂直部１１ａが、放射方向に向かって矢印「イ」の方向に可動し、その外周面８ｂの外側を移動する。この一方・他方折曲げ部１１ｃ、１１ｂの可動を介して、シャッター１０は、吹出口８０１ａから離れる。尚、この吹出口８０１ａからの離れは、送風「Ｘ」による押圧もある。「３」の続きの状態は、図１０−３で、「２」で説明した動作がさらに進む構造である。即ち、翼体１５が風圧で、さらにその開放側１５ａが押圧され、かつ枢着部１５ｂを支点として、可動する。この可動により、作動突起１２の垂直部１２ａと、可動杆１１の垂直部１１ａとがさらに、円弧状の軌跡で矢印「ロ」に可動する（この可動杆１１の垂直部１１ａは外周面８ｂより、放射方向に離間する）とともに、一方・他方折曲げ部１１ｃ、１１ｂを可動し、ケーシング８の幅８００方向と、略直交する方向「Ｙ」まで可動する。そして、この一方・他方折曲げ部１１ｃ、１１ｂの可動を介して、シャッター１０は、吹出口８０１ａから略全体が離れる。尚、この吹出口８０１ａからの離れは、送風「Ｘ」による押圧もある。そして、「４」の最終の状態は、図１０−４で、「３」で説明した動作がさらに進む構造である。即ち、翼体１５が風圧で、さらにその開放側１５ａが押圧され、かつ枢着部１５ｂを支点として、可動する。この可動により、翼体１５の押圧力が、作動突起１２の作動部１２ｂに付与されることから、この作動部１２ｂと、可動杆１１の垂直部１１ａとがさらに、矢印「ハ」の方向に可動する（この可動杆１１の垂直部１１ａは外周面８ｂより、さらに放射方向より戻った状態で離間する）とともに、一方・他方折曲げ部１１ｃ、１１ｂを可動し、ケーシング８の幅８００方向と、略直交する位置を超えた位置「Ｚ」に可動する。そして、この一方・他方折曲げ部１１ｃ、１１ｂの可動を介して、シャッター１０は、ケーシング８の外周面８ｂに添接するように配置される（開放限）。尚、この例では、シャッター１０の枢着側１０ａが、このケーシング８の吸込側８０２に、またシャッター１０の先端側１０ｂが、このケーシング８の吹出側８０１に、それぞれ配置される。また、この状態で、前述した如く、翼体１５と作動部１２ｂは、ケーシング８の内周面８ａにおいて、略平行状態となっている。換言すると、作動部１２ｂに対する翼体１５の押圧力が解除された状態である。この状態が、ファン５による連続送風「Ｘ１」が行われる態勢である。そして、前記ファン５による送風「Ｘ１」が停止すると、翼板１５に対する風圧が解除されること、及び後述するスプリング２０、２１の反撥とを介して、図１０−４から図１０−１の最初の状態に復帰する構造である。尚、また、この一例では、可動杆１１と作動突起１２が一体構造であるが、個別でもよく、要は、作動突起１２の動きを、可動杆１１に伝達する構造であれば、限定されない。そして、この可動杆１１の他の例としては、シリンダー、人手等の他の手段に代替することも場合により可能である。また、離れた場所からの遠隔操作を可能とすることで、例えば、ハウスの近傍にいない状況で、他のハウスや、自宅等の遠隔地にいない時、又は台風等の災害時、その他緊急時の対応に有効である。
【００６４】
尚、本発明は、前述の翼板１５の構造及び／又はシャッター１０の開放限（後退時）に、ケーシング８の外周面８ｂに設置する構成が特徴であり、この構成により、整流の確保や、騒音の防止と、省スペースが確保される実益がある。
【００６５】
図中１５は方形状の翼板であり、この翼板１５は、前記ケーシング８の内周面８ａの略中心に、対で枢着されており、ファン５からの風で可動する構造である。この可動を図るために、その開放側１５ａの角端部１５ａ−１に、前記ケーシング８の内周面８ａに衝突しないように、切欠き部１５００を設ける。そして、この翼板１５は、ファン５からの風圧で、図１０−１（イ）の状態から、図１０−４（イ）の状態に順次、変化し、当該対の翼体１５が平行になり（図１０−４（イ）の状態）、風の抵抗を回避しつつ、整流の生成に寄与できる。そして、またファン５の停止で、後述する復帰手段を介して復帰し、最初の状態に戻り（図１０−１（イ）の状態）、底面視して、略ハ字形を呈する。尚、この翼板１５の枚数は、二枚の構造が理想である。しかし、この例に限定されず、風圧、迅速な動作等を考慮した場合には、二枚以上の複数枚の構造にして、風を有効に捉えることも可能である。
【００６６】
尚、復帰手段は、対の他方のスプリング１８（他の弾性手段を含む、例えば、弾性紐、シリンダー等のアクチュエータ等がある。そして、原則として、一方のみを説明する）を、各可動杆１１の他方折曲げ部１１ｂの基端側と、各シャッター１０の枢着側１０ａに設けた鞘管１００１の突片１００１ａとの間に、それぞれ設ける。また一方のスプリング１９を、可動杆１１の一方折曲げ部１１ｃの基端側と、ケーシング８の外周面８ｂの底面の幅８００の略中心との間に設ける。そして、前記翼体１５の前述した動きで、このスプリング１８、１９は、緊張、又は反撥（復帰）される。その張装は、翼体１５が、ファン５からの風で可動し、開放されるにしたがって進行し、平行になった状態で、その緊張状態が停止される。この状態は、ファン５からの送風が続く限り、保持される。またスプリング１８、１９の動作は、前述した、図１０−１〜図１０−４で説明した可動杆１１の可動と、この可動に基づく、鞘管１００１及び／又は突片１００１ａの可動により緊張される。またその逆の可動（復帰）で反撥（緊張解除）される構造である。そして、このスプリング１８、１９の構造は、一例であり、前述した他の手段、又はこのスプリング１８、１９でも、取付け方法を異にすることも可能である。
【００６７】
そして、前述の一方のシャッター１０の先端側１０ｂに、鍔片１０００を設けた構成では、他方のシャッター１０が先に復帰し、この他方のシャッター１０の前面部に、この鍔片１０００が添接される構造とするために、前記スプリング１８、１９の力を調整する。例えば、一方のシャッター１０に対応する一方のスプリング１８、１９の力＜他方のシャッター１０に対応する他方のスプリング１８、１９の力とする構成とする。尚、このスプリング１８、１９の力関係は、シャッター１０が開放時において、可動杆１５等が可動するが、この可動等には直接的な関係はない。
【００６８】
図中２０は枠体１、又は本体２に防虫ネット２１を取付ける装置で、この装置２０は、枠体１、又は本体２に設けた止め具挾持体２０００と、この挾持体２０００の挾持片に嵌合されるスプリング線材の緊締体２００１とで構成する。そして、この挾持体２０００に防虫ネット２１の端部を添接した状態で、緊締体２００１を嵌着することで、取付ける。またこの防虫ネット２１は自由に着脱できる。そして、本発明では、ハウスの略全方向に防虫ネットを付設した構造物（図示せず）にも装着できるので、有益である。
【００６９】
また図中２３は、枠体１、又は本体２に設けたフードである。また２４は、ケーシング８の内周面８ａの吹出側８０１の吹出口８０１ａの内方に設けた渦巻き形状の整流手段で、この整流手段２４は、複数の板材２４００で構成し、かつこの板材２４００の配置を介して、板材２４００間の隙間を、その内側は狭く、放射方向に向かって広く形成する構造であり、前記翼体１５との併用又は単独で、ファン５からの送風を、整流に整える役目を担う。
【図面の簡単な説明】
【００７０】
【図１】図１はシャッターが閉塞された状態を正面視した状態の斜視図
【図２】図２はシャッターが開放され、このシャッターがケーシングの外周面に添接    した状態を正面視した状態の斜視図
【図３】図３はケーシングに貫通した作動突起の垂直部と折曲げ部とを示し、かつ二    枚の翼体（風動板）との関係を示した要部の拡大斜視図
【図４】図４は、図３に示した作動突起が、最大限に可動した翼体により押圧された    状態を示した要部の拡大斜視図
【図５】図５は吸気扇本体を分解して示した斜視図
【図６】図６は可動杆とケーシングと、可動杆が復帰するための手段との関係を示し    た平面図
【図７−１】図７−１は作動突起とシャッターとの連繋、並びに可動杆が復帰するた    めの手段（復帰手段）との関係を示した斜視図
【図７−２】図７−２は図７−１の要部の拡大平面図
【図８】図８は吸気扇の裏面斜視図
【図９】図９は吸気扇のハウス内側に防虫ネットを取付けた状態の斜視図
【図１０−１】図１０−１（イ）〜（ハ）はシャッターの閉塞状態を示した平面、正    面、底面の方向から概念的に示した各図
【図１０−２】図１０−２（イ）〜（ハ）はシャッターが翼体の動きに連動して可動    を始めた状態を示した平面、正面、底面の方向から概念的に示した各図
【図１０−３】図１０−３（イ）〜（ハ）はシャッターが翼体の動きに連動し、さら    に可動を始めた状態を示した平面、正面、底面の方向から概念的に示した各図
【図１０−４】図１０−４（イ）〜（ハ）はシャッターの開放状態を示した平面、正    面、底面の方向から概念的に示した各図
【図１１】図１１は吸気扇の枠体、又は本体にフードを設けた状態を示した斜視図
【図１２】図１２は図１１の他の例を示した斜視図
【符号の説明】
【００７１】
１              枠体
２              本体
２ａ            開口
２ｂ            ベルマウス
３              ブラケット
４              モータ
５              ファン
６              ガード
８              ケーシング
８ａ            内周面
８ｂ            外周面
８００          幅
８０１          吹出側
８０１ａ        吹出口
８０２          吸込側
８０２ａ        吸込口
１０            シャッター
１０００        鍔片
１００１        鞘管
１００１ａ      突片
１０ａ          枢着側
１０ｂ          先端側
１１            可動杆
１１ａ          垂直部
１１ｂ          他方折曲げ部
１１ｃ          一方折曲げ部
１２            作動突起
１２ａ          垂直部
１２ｂ          作動部
１２ｂ−１      自由端
１２ｂ−２      垂直部側
１５            翼体
１５ａ          開放側
１５ａ−１      角端部
１５ｂ          枢着部
１５００        切欠き部
１８            スプリング
１９            スプリング
２０            装置
２０００        挾持体
２００１        緊締体
２１            防虫ネット
２３            フード
２４            整流手段
２４００        板材
【図１】
0005118928.tif 000002
【図２】
0005118928.tif 000003
【図３】
0005118928.tif 000004
【図４】
0005118928.tif 000005
【図５】
0005118928.tif 000006
【図６】
0005118928.tif 000007
【図７−１】
0005118928.tif 000008
【図７−２】
0005118928.tif 000009
【図８】
0005118928.tif 000010
【図９】
0005118928.tif 000011
【図１０−１】
0005118928.tif 000012
【図１０−２】
0005118928.tif 000013
【図１０−３】
0005118928.tif 000014
【図１０−４】
0005118928.tif 000015
【図１１】
0005118928.tif 000016
【図１２】
0005118928.tif 000017